(57)【要約】【課題】  装置コストの低減化が可能であると共に、余分なコストをかけることなしに、フィンにおける山角度の変更に対応させることができ、これにより、製造コストの低減化が図れるコルゲートフィンの山形矯正装置及び山形矯正方法の提供。【解決手段】  一対の右捩れウォーム７１と左捩れウォーム７２フィン材１１を搬送方向へ連続して搬送させる一方、一対の右捩れウォーム７１と左捩れウォーム７２が当接係合する位置におけるフィン材１１の波頭部の中央部に係合させた回転ギア７３を、一対の右捩れウォーム７１と左捩れウォーム７２とは搬送開始を遅らせる方向に時間的にずらした状態で一対の右捩れウォーム７１と左捩れウォーム７２による搬送速度と同一速度で作動させてフィン材１１を搬送方向へ連続して搬送する。【選択図】      図２
2007069213.tif 000002
【特許請求の範囲】
【請求項１】
薄板を連続する断面波状に成形したフィン材の各稜線部を山形に矯正するコルゲートフィンの山形矯正装置であって、
前記断面波状フィン材の両側部に少なくとも当接し、該フィン材を搬送方向へ連続して搬送する一対の搬送手段と、
該一対の搬送手段が少なくとも当接する位置における前記断面波状フィン材の波頭部または波底部の少なくともいずれか一方に係合し、前記一対の搬送手段による搬送速度と同一速度で前記フィン材を搬送方向へ連続して搬送する矯正手段と、
前記一対の搬送手段と前記矯正手段のいずれか一方のみを作動させて前記フィン材の稜線部を山形に矯正させた後に前記一対の搬送手段と前記矯正手段を同一搬送速度で作動させる作動制御手段と、
が備えられていることを特徴とするコルゲートフィンの山形矯正装置。
【請求項２】
断面波状フィン材の両側部に少なくとも当接し、該フィン材を搬送方向へ連続して搬送する一対の搬送手段と、該一対の搬送手段が少なくとも当接する位置における前記断面波状フィン材の波頭部または波底部の少なくともいずれか一方の略中央部に係合し、前記一対の搬送手段による搬送速度と同一速度で前記フィン材を搬送方向へ連続して搬送する矯正手段とを用い、薄板を連続する断面波状に成形したフィン材の各稜線部を山形に矯正するコルゲートフィンの山形矯正方法であって、
前記一対の搬送手段と前記矯正手段のいずれか一方のみを作動させて前記フィン材の稜線部を山形に矯正させた後に前記一対の搬送手段と前記矯正手段を同一搬送速度で作動させるようにしたことを特徴とするコルゲートフィンの山形矯正方法。
【請求項３】
薄板を連続する断面波状に成形したフィン材の各稜線部を山形に矯正するコルゲートフィンの山形矯正装置であって、
前記断面波状フィン材の両側部に少なくとも当接し、該フィン材を搬送方向へ連続して搬送する一対の搬送手段と、
該一対の搬送手段が少なくとも当接する位置における前記断面波状フィン材の波頭部または波底部の少なくともいずれか一方に係合し、前記一対の搬送手段による搬送速度と同一速度で前記フィン材を搬送方向へ連続して搬送する矯正手段と、
が備えられ、
前記一対の搬送手段が、前記断面波状フィン材の波頭部または波底部の少なくともいずれか一方の両肩部に各々係合し、該フィン材を搬送方向へ連続して搬送する一対の右捩れウォームと左捩れウォームで構成され、
該一対の右捩れウォームと左捩れウォームにおける前記矯正手段が係合する位置のピッチが他の部分のピッチとは異なるように構成されていることを特徴とするコルゲートフィンの山形矯正装置。
【請求項４】
前記矯正手段が前記断面波状フィン材の波頭部または波底部の少なくともいずれか一方に係合して断面波状フィン材の搬送方向に向けて回転する回転ギアで構成されていることを特徴とする請求項１〜３のいずれか１項に記載のコルゲートフィンの山形矯正装置またはコルゲートフィンの山形矯正方法。
【請求項５】
前記一対の搬送手段が、前記断面波状フィン材の波頭部または波底部の少なくともいずれか一方の両肩部に各々係合し、該フィン材を搬送方向へ連続して搬送する一対の右捩れウォームと左捩れウォームで構成されていることを特徴とする請求項１または２に記載のコルゲートフィンの山形矯正装置またはコルゲートフィンの山形矯正方法。
【請求項６】
前記一対の右捩れウォームと左捩れウォームが断面波状に成形されたコルゲートフィンの山数の測定のために配置される計数ウォームで構成されていることを特徴とする請求項５記載のコルゲートフィンの山形矯正装置またはコルゲートフィンの山形矯正方法。
【請求項７】
前記一対の搬送手段が、前記断面波状フィン材の両側面に当接して回転する一対の回転ローラで構成されていることを特徴とする請求項１、２、４のいずれか１項に記載のコルゲートフィンの山形矯正装置またはコルゲートフィンの山形矯正方法。
【発明の詳細な説明】
【技術分野】
【０００１】
本発明は、薄板を連続する断面波状に成形したフィン材の各稜線部を山形に矯正するコルゲートフィンの山形矯正装置及び山形矯正方法に関する。
【背景技術】
【０００２】
従来、薄板を連続する断面波状に成形したフィン材の各稜線部を山形に形成した構造が知られている（例えば、特許文献１参照。）。
【０００３】
【特許文献１】特開２００５−６９６６９号公報
【発明の開示】
【発明が解決しようとする課題】
【０００４】
しかしながら、フィン材の各稜線部を山形に矯正するための装置や方法については何ら開示されていない。
【０００５】
本発明の解決しようとする課題は、フィン材の各稜線部を連続的に山形に矯正することができるコルゲートフィンの山形矯正装置及び山形矯正方法を提供することにある。
【課題を解決するための手段】
【０００６】
上記課題を解決するため請求項１記載のコルゲートフィンの山形矯正装置は、薄板を連続する断面波状に成形したフィン材の各稜線部を山形に矯正するコルゲートフィンの山形矯正装置であって、前記断面波状フィン材の両側部に少なくとも当接し、該フィン材を搬送方向へ連続して搬送する一対の搬送手段と、該一対の搬送手段が少なくとも当接する位置における前記断面波状フィン材の波頭部または波底部の少なくともいずれか一方に係合し、前記一対の搬送手段による搬送速度と同一速度で前記フィン材を搬送方向へ連続して搬送する矯正手段と、
前記一対の搬送手段と前記矯正手段のいずれか一方のみを作動させて前記フィン材の稜線部を山形に矯正させた後に前記一対の搬送手段と前記矯正手段を同一搬送速度で作動させる作動制御手段と、が備えられていることを特徴とする手段とした。
【０００７】
請求項２記載のコルゲートフィンの山形矯正方法は、断面波状フィン材の両側部に少なくとも当接し、該フィン材を搬送方向へ連続して搬送する一対の搬送手段と、該一対の搬送手段が少なくとも当接する位置における前記断面波状フィン材の波頭部または波底部の少なくともいずれか一方に係合し、前記一対の搬送手段による搬送速度と同一速度で前記フィン材を搬送方向へ連続して搬送する矯正手段とを用い、薄板を連続する断面波状に成形したフィン材の各稜線部を山形に矯正するコルゲートフィンの山形矯正方法であって、前記一対の搬送手段と前記矯正手段のいずれか一方のみを作動させて前記フィン材の稜線部を山形に矯正させた後に前記一対の搬送手段と前記矯正手段を同一搬送速度で作動させるようにしたことを特徴とする手段とした。
【０００８】
請求項３記載のコルゲートフィンの山形矯正装置は、薄板を連続する断面波状に成形したフィン材の各稜線部を山形に矯正するコルゲートフィンの山形矯正装置であって、前記断面波状フィン材の両側部に少なくとも当接し、該フィン材を搬送方向へ連続して搬送する一対の搬送手段と、該一対の搬送手段が少なくとも当接する位置における前記断面波状フィン材の波頭部または波底部の少なくともいずれか一方に係合し、前記一対の搬送手段による搬送速度と同一速度で前記フィン材を搬送方向へ連続して搬送する矯正手段と、が備えられ、前記一対の搬送手段が前記断面波状フィン材の波頭部または波底部の少なくともいずれか一方の両肩部に各々係合し、該フィン材を搬送方向へ連続して搬送する一対の右捩れウォームと左捩れウォームで構成され、該一対の右捩れウォームと左捩れウォームにおける前記矯正手段が係合する位置のピッチが他の部分のピッチとは異なるように構成されていることを特徴とする手段とした。
【発明の効果】
【０００９】
請求項１記載のコルゲートフィンの山形矯正装置及び請求項２記載のコルゲートフィンの山形矯正方法では、上述のように、断面波状フィン材の両側部に少なくとも当接し、該フィン材を搬送方向へ連続して搬送する一対の搬送手段と、該一対の搬送手段が少なくとも当接する位置における断面波状フィン材の波頭部または波底部の少なくともいずれか一方に係合し、一対の搬送手段による搬送速度と同一速度で前記フィン材を搬送方向へ連続して搬送する矯正手段とを用い、薄板を連続する断面波状に成形したフィン材の各稜線部を山形に矯正するコルゲートフィンの山形矯正装置及び山形矯正方法であって、一対の搬送手段と前記矯正手段のいずれか一方のみを作動させてフィン材の稜線部を山形に矯正させた後に一対の搬送手段と前記矯正手段を同一搬送速度で作動させることにより、フィン材の各稜線部を連続的に山形に矯正することができる。
【００１０】
また、一対の搬送手段と矯正手段のいずれか一方のみを作動させることでフィン材の稜線部を山形に矯正するようにしたため、一方のみを作動させる量を変えるだけで、フィンにおける山角度を容易に変更することができる。
【００１１】
請求項３記載のコルゲートフィンの山形矯正装置では、上述のように、断面波状フィン材の両側部に少なくとも当接し、該フィン材を搬送方向へ連続して搬送する一対の搬送手段と、該一対の搬送手段が少なくとも当接する位置における前記断面波状フィン材の波頭部または波底部の少なくともいずれか一方に係合し、一対の搬送手段による搬送速度と同一速度で前記フィン材を搬送方向へ連続して搬送する矯正手段と、が備えられ、一対の搬送手段が断面波状フィン材の波頭部または波底部の少なくともいずれか一方の両肩部に各々係合し、該フィン材を搬送方向へ連続して搬送する一対の右捩れウォームと左捩れウォームで構成され、該一対の右捩れウォームと左捩れウォームにおける矯正手段が係合する位置のピッチが他の部分のピッチとは異なるように構成されることにより、このピッチが異なる部分において矯正手段による搬送位置との間にずれが生じるため、フィン材の各稜線部が山形に矯正され、フィン材の搬送につれて連続的に山形に矯正される。
【００１２】
また、一対の右捩れウォームと左捩れウォームにおける矯正手段が係合する位置のピッチを他の部分のピッチとは異なるように構成することでフィン材の稜線部を山形に矯正するようにしたため、ピッチの相違量を変更するだけで、フィンにおける山角度を容易に変更することができる。
【発明を実施するための最良の形態】
【００１３】
以下にこの発明の実施例を図面に基づいて説明する。
【実施例１】
【００１４】
この実施例１のコルゲートフィンの山形矯正装置は、請求項１、２、４〜６に記載の発明に対応する。
【００１５】
図１はこの実施例１のコルゲートフィンの山形矯正装置が適用されるコルゲートフィンの製造装置及び工程を示す図、図２は実施例１のコルゲートフィンの山形矯正装置を示す側面図、図３は実施例１のコルゲートフィンの山形矯正装置を示す正面図、図４は実施例１のコルゲートフィンの山形矯正装置で山形に矯正されたコルゲートフィンを示す斜視図である。
【００１６】
まず、この実施例１のコルゲートフィンの山形矯正装置が適用されるコルゲートフィンの製造装置を図１に基づいて説明する。
このコルゲートフィンの山形矯正装置は、アンコイラー１と、フリーダンプロールユニット２と、テンション付与装置３ａと、テンション測定装置３ｂと、第１成形装置４と、第２成形装置５と、ピッチ詰め装置６と、フィン矯正装置７と、切断装置８と、を備えている。
【００１７】
このコルゲートフィンの山形矯正装置では、まず、フリーダンプロールユニット２において、アンコイラー１に巻かれた薄板状のフィン材１１をテンション付与装置３に連続して供給する。
【００１８】
次のテンション付与装置３ａ及びテンション測定装置３ｂでは、フリーダンプロールユニット２から供給されるフィン材１１に所定のテンションを付与させ、そのテンションを測定する。
【００１９】
次の第１成形装置４及び第２成形装置５では、フィン材１１を断面波状に成形すると共に、ルーバを形成する。
【００２０】
次のピッチ詰め装置６では、断面波状に成形されたフィン材１１にブレーキをかけることにより、フィン材１１を長手方向に圧縮して所定のピッチまで縮める。
【００２１】
次のフィン山形矯正装置７では、断面波状に成形したフィン材１１の各稜線部を山形に矯正する。
【００２２】
次の切断装置８では、山形に矯正されたフィン材１１を切断して所定長さのコルゲートフィンを得る。
【００２３】
次に、この発明の実施例１であるフィン矯正装置７の構成を図２、３に基づいて説明する。
このフィン矯正装置７は、一対の右捩れウォーム７１と、左捩れウォーム７２と、回転ギア７３と、搬送台７４と、で構成されている。
【００２４】
さらに詳述すると、上記一対の右捩れウォーム７１と左捩れウォーム７２は、フィン材１１の両側部に少なくとも当接し、該フィン材１１を搬送方向へ連続して搬送する一対の搬送手段を構成するもので、この実施例１では、断面波状に成形されたフィン材１１の波頭部の両肩部１１ａに各々係合した状態で当接し、該フィン材１１を搬送方向へ連続して搬送しながらフィン１１の山数を測定する計数ウォームで構成されている。
【００２５】
この計数ウォームは、フィン材１１を搬送台７４上で搬送方向（図中矢印Ｐ方向）へ連続して搬送すると共に、右捩れウォーム７１と左捩れウォーム７２が、フィン材１１の両肩部１１ａに各々係合してフィン材１１の谷部の位置を規制するようになっている。
【００２６】
また、両ウォーム７１、７２は、ギア（図示せず）で連結されてサーボモータで各々矢印Ｓ方向に回転するようになっており、この回転数から搬送したフィン材１１の谷部の数を計数できるようになっている。
【００２７】
上記回転ギア７３は、フィン材１１の各稜線部１１ｂを山形に矯正する矯正手段を構成するもので、両ウォーム７１、７２が係合した状態で当接する位置におけるフィン材１１における波頭部の各山部の中央部に歯部７３ａが係合してフィン材１１の搬送方向（矢印Ｇ方向）に向けて回転することにより、上記計数ウォームと同一速度でフィン材１１を矢印Ｐ方向に搬送するようにその駆動回転数が設定されている。
【００２８】
そして、図示を省略した作動制御手段により、まず、回転ギア７３をフィン材１１の搬送方向とは逆方向に回転させた後、該回転ギア７３と両ウォーム７１、７２を同一搬送速度で作動させるようになっている。
【００２９】
次に、この実施例１のコルゲートフィンの山形矯正装置を用いたコルゲートフィンの山形矯正方法を説明する。
まず、フィン材１１における波頭部の各山部の中央部に歯部７３ａを係合させた状態の回転ギア７３を、矯正すべき山形の山角度αに応じて所定量だけフィン材１１の搬送方向とは逆方向に搬送する方向回転させることにより、該回転ギア７３の歯部７３ａが係合した部分のフィン材１１の稜線部１１ｂを山形に矯正させた後に、該回転ギア７３及びフィン材１１の両肩部１１ａに各々係合させた一対の右捩れウォーム７１と左捩れウォーム７２を同一搬送速度で連続回転駆動させることにより、図４に示すように、フィン材１１の各稜線部１１ｂが連続的に山形に矯正されていく。
【００３０】
次に、この実施例１の作用・効果を説明する。
この実施例１では、上述のように、一対の右捩れウォーム７１と左捩れウォーム７２フィン材１１をフィン材１１の両肩部１１ａに各々係合させた状態で、まず、回転ギア７３をフィン材１１の搬送方向とは逆方向に回動させた後、該回転ギア７３と両ウォーム７１、７２を同一搬送速度で作動させるようにしたことで、フィン材１１の各稜線部１１ｂを連続的に山形に矯正することができる。
【００３１】
また、一対の右捩れウォーム７１及び左捩れウォーム７２と回転ギア７３のうち、一方の回転ギア７３のみをフィン材１１の搬送方向とは逆方向に回動させることでフィン材１１の稜線部１１ｂを山形に矯正するものであるため、回転ギア７３の逆方向回転量を変えるだけで、フィンにおける山角度αを容易に変更することができる。
【００３２】
また、一対の搬送手段が、一対の右捩れウォーム７１と左捩れウォーム７２で構成されると共に、矯正手段が回転ギア７３で構成されることにより、山角度αを均一にすることができるようになる。
【００３３】
また、一対の搬送手段として、断面波状に成形されたコルゲートフィンの山数測定のために配置される計数ウォームを構成する一対の右捩れウォーム７１と左捩れウォーム７２を利用することにより、部品点数の削減によるコストの低減化と、装置のコンパクト化が可能になる。
【００３４】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００３５】
この実施例２は、実施例１におけるコルゲートフィンの山形矯正装置の変形例を示すものであり、図５の側面図および図６の正面図に示すように、上記一対の右捩れウォーム７１と左捩れウォーム７２を、断面波状に成形されたフィン材１１の波頭部の両肩部１１ａに各々係合させる点は上記実施例１と同様であるが、上記回転ギア７３の歯部７３ａを、両ウォーム７１、７２が係合した状態で当接する位置のフィン材１１における波底部の各谷部の略中央部に係合させるようにした点が上記実施例１とは相違したものである。
従って、上記実施例１とほぼ同様の効果が得られる。
【実施例３】
【００３６】
この実施例３は、実施例１におけるコルゲートフィンの山形矯正装置の変形例を示すものであり、図７の側面図および図８の正面図に示すように、上記実施例１と同様に、上記一対の右捩れウォーム７１と左捩れウォーム７２を、断面波状に成形されたフィン材１１の波頭部の両肩部１１ａに各々係合させ、上記回転ギア７３の歯部７３ａを、両ウォーム７１、７２が係合した状態で当接する位置のフィン材１１における波頭部の各谷部の略中央部に係合させる一方、上記一対の左捩れウォーム７２と右捩れウォーム７１を、断面波状に成形されたフィン材１１の波底部の両肩部１１ｃに各々係合させ、かつ、上記回転ギア７３の歯部７３ａを、両ウォーム７１、７２が係合した状態で当接する位置のフィン材１１における波底部の各谷部の略中央部に係合させるようにした点が上記実施例１、２とは相違したものである。
従って、この実施例３では、コルゲートフィンにおける波頭部と波底部とを均一に山形に矯正することができるようになるという追加の効果が得られる。
【実施例４】
【００３７】
この実施例４のコルゲートフィンの山形矯正装置は、請求項３、４に記載の発明に対応する。
この実施例４は、図９の側面図、図１０の正面図及び図１１の平面図に示すように、一対の右捩れウォーム７１と左捩れウォーム７２を、断面波状に成形されたフィン材１１の波頭部の両肩部１１ａに各々係合させ、回転ギア７３の歯部７３ａを両ウォーム７１、７２が係合した状態で当接する位置のフィン材１１における波頭部の各谷部の略中央部に係合させるようにした点は上記実施例１と同様であるが、一対の右捩れウォーム７１と左捩れウォーム７２における回転ギア７３の歯部７３ａが係合する略中央位置のピッチＰ２が、その他の部分のピッチＰ１、Ｐ３より大きく形成（Ｐ１<Ｐ２>Ｐ３）されている点が、上記実施例１とは相違したものである。
【００３８】
この実施例４では上述のように構成されるため、一対の右捩れウォーム７１及び左捩れウォーム７２と、回転ギア７３を同時に同一搬送速度で回転させることにより、一対の右捩れウォーム７１及び左捩れウォーム７２のピッチが異なる部分（Ｐ２）において回転ギア７３による搬送位置との間にずれが生じるため、フィン材１１の各稜線部１１ｂが山形に矯正され、フィン材１１の搬送につれて連続的に山形に矯正される。
【００３９】
また、一対の右捩れウォーム７１及び左捩れウォーム７２における回転ギア７３の歯部７３ａが係合する位置のピッチＰ２を他の部分のピッチＰ１、Ｐ３とは異なるように構成することで、フィン材１１の稜線部１１ｂを山形に矯正するようにしたため、ピッチＰ２とピッチＰ１、Ｐ３の相違量を変更するだけで、フィンにおける山角度αを容易に変更することができる。
【００４０】
以上本実施例を説明してきたが、本発明は上述の実施例に限られるものではなく、本発明の要旨を逸脱しない範囲の設計変更等があっても、本発明に含まれる。
例えば、実施例１〜３では、一対の搬送手段として、断面波状に成形されたコルゲートフィンの山数測定のために配置される計数ウォームを構成する一対の右捩れウォーム７１と左捩れウォーム７２を利用するようにしたが、計数ウォームとは別に設けるようにしてもよい。
【００４１】
また、実施例では、まず、回転ギア７３をフィン材１１の搬送方向とは逆方向に回動させた後、該回転ギア７３と両ウォーム７１、７２を同一搬送速度で作動させるようにしたが、回転ギア７３をフィン材１１の搬送方向に回動させた後、該回転ギア７３と両ウォーム７１、７２を同一搬送速度で作動させるようにしてもよい。
また、回転ギア７３と一対の右捩れウォーム７１と左捩れウォーム７２との搬送開始を時間的にずらした状態で、回転ギア７３と一対の右捩れウォーム７１と左捩れウォーム７２を同一搬送速度で作動させるようにしてもよい。
【００４２】
また、実施例４では、右捩れウォーム７１と左捩れウォーム７２をフィン材１１における波頭部側の両肩部１１ａに各々係合させ、回転ギア７３の歯部７３ａをフィン材１１における波頭部側の各山部の略中央部に係合させた例を示したが、実施例２に示すように、ウォーム７１、７２と回転ギア７３のいずれか一方又は両方を波底部側に係合させ、若しくは、実施例３に示すように、波頭部側と波底部側の両方にウォーム７１、７２と回転ギア７３、をそれぞれ係合させるようにしてもよい。
【００４３】
また、実施例４では、一対の右捩れウォーム７１と左捩れウォーム７２における回転ギア７３の歯部７３ａが係合する略中央位置のピッチＰ２を、その他の部分のピッチＰ１、Ｐ３より大きく形成（Ｐ１<Ｐ２>Ｐ３）したが、その他の部分のピッチＰ１、Ｐ３より小さく形成（Ｐ１>Ｐ２<Ｐ３）してもよい。
【００４４】
また、実施例では、上記一対の搬送手段を一対のウォーム７１、７２で構成したが、図１２に示すように、断面波状に成形されたフィン材１１の両側面に当接して回転する一対の回転ローラ７５で構成させるようにしてもよい。なお、この回転ローラ７５としては、ゴムやウレタン等のように所定の弾性を有し、フィン材１１の側面に少し食い込むような材料で構成されることが望ましい。
また、実施例では、回転ギア７３を少なくとも波頭部又は波底部の一方の略中央部に係合させたが、フィン形状の要求により、フィンの幅方向の中央部でない位置に回転ギア７３を設けることも本発明に含まれる。
【図面の簡単な説明】
【００４５】
【図１】実施例１のコルゲートフィンの山形矯正装置が適用されるコルゲートフィンの製造装置及び工程を示す図である。
【図２】実施例１のコルゲートフィンの山形矯正装置を示す側面図である。
【図３】実施例１のコルゲートフィンの山形矯正装置を示す正面図である。
【図４】実施例１のコルゲートフィンの山形矯正装置で矯正されたコルゲートフィンを示す斜視図である。
【図５】実施例２のコルゲートフィンの山形矯正装置を示す側面図である。
【図６】実施例２のコルゲートフィンの山形矯正装置を示す正面図である。
【図７】実施例３のコルゲートフィンの山形矯正装置を示す側面図である。
【図８】実施例３のコルゲートフィンの山形矯正装置を示す正面図である。
【図９】実施例４のコルゲートフィンの山形矯正装置を示す側面図である。
【図１０】実施例４のコルゲートフィンの山形矯正装置を示す正面図である。
【図１１】実施例４のコルゲートフィンの山形矯正装置を示す平面図である。
【図１２】一対の搬送手段の他の例を示す平面図である。
【符号の説明】
【００４６】
１  アンコイラー
１１  フィン材
１１ａ  波頭部の両肩部
１１ｂ  稜線部
１１ｃ  波底部の両肩部
２  フリーダンプロールユニット
３ａ  テンション付与装置
３ｂ  テンション測定装置
４  第１成形装置
５  第２成形装置
６  ピッチ詰め装置
７  フィン矯正装置
７１  右捩れウォーム（搬送手段）
７２  左捩れウォーム（搬送手段）
７３  回転ギア（矯正手段）
７３ａ  歯部
７４  搬送台
７５  回転ローラ（搬送手段）
８  切断装置
【図１】
2007069213.tif 000003
【図２】
2007069213.tif 000004
【図３】
2007069213.tif 000005
【図４】
2007069213.tif 000006
【図５】
2007069213.tif 000007
【図６】
2007069213.tif 000008
【図７】
2007069213.tif 000009
【図８】
2007069213.tif 000010
【図９】
2007069213.tif 000011
【図１０】
2007069213.tif 000012
【図１１】
2007069213.tif 000013
【図１２】
2007069213.tif 000014